(57)【要約】【課題】部品点数を増やすことなく、バネによる器具本体の保持力を向上させることができる照明装置を提供する。【解決手段】照明装置１は、発光モジュール６２と、発光モジュール６２を収容する器具本体３と、器具本体３の外周側に配置され、かつ、器具本体３を天井に固定するための一対の板バネ７０とを備える。また、器具本体３の一部は、発光モジュール６２が出射する光の光軸と交差する方向に突出する。そして、一対の板バネ７０のうち、少なくとも一つの板バネ７０は、光軸（中心線Ｏ）を含み、かつ、器具本体３の一部が突出する方向と直交する平面よりも器具本体３の一部が突出する側に配置される。【選択図】図４
2020136025.tif 000002
【特許請求の範囲】
【請求項１】
発光モジュールと、
前記発光モジュールを収容する器具本体と、
前記器具本体の外周側に配置され、かつ、前記器具本体を天井に固定するための一対のバネとを備え、
前記器具本体の一部は、前記発光モジュールが出射する光の光軸と交差する方向に突出し、
前記一対のバネのうち、少なくとも一つのバネは、光軸を含み、かつ、前記器具本体の一部が突出する方向と直交する平面よりも前記器具本体の一部が突出する側に配置される
照明装置。
【請求項２】
前記一対のバネは、当該照明装置を光軸方向に沿って平面視した場合に、光軸方向に対して点対称に配置される
請求項１に記載の照明装置。
【請求項３】
前記一対のバネのうちの一方のバネ及び他方のバネのそれぞれは、板バネであり、
前記器具本体から前記一方のバネのアーム部が延びる方向と、前記器具本体から前記他方のバネのアーム部が延びる方向とは同一の直線上にある
請求項２に記載の照明装置。
【請求項４】
前記器具本体は、
前記発光モジュールが発する光が通過する外装カバーと、
前記外装カバーを固定し、かつ、前記発光モジュールを収容する筐体とを有し、
当該照明装置を光軸方向に沿って平面視した場合に、前記筐体の一部は、前記外装カバーの外周面よりも外径方向に突出する
請求項１〜３のいずれか１項に記載の照明装置。
【請求項５】
前記筐体は、前記一対のバネが一対一で対応するように取付けられる一対の取付部を有し、
前記一対の取付部のうち、バネが取付けられる側の少なくとも一つの取付部の表面は、当該照明装置を光軸方向に沿って平面視した場合に、前記器具本体の一部が突出する方向に対して傾く
請求項４に記載の照明装置。
【請求項６】
さらに、
前記発光モジュールを点灯させるための電力を供給する点灯回路と、
前記点灯回路と前記発光モジュールとを実装する実装基板とを備え、
前記点灯回路及び前記実装基板は、前記筐体に収容される
請求項４又は５に記載の照明装置。
【発明の詳細な説明】
【技術分野】
【０００１】
本開示は、照明装置に関する。
【背景技術】
【０００２】
従来の照明装置として特許文献１には、一部が光軸と直交する方向に延びた装置本体と、装置本体の内部に設けられた発光モジュールと、装置本体の延びた部分と直交するように、装置本体固定される２つの取付バネとを備える天井埋め込み型の照明装置が開示されている。
【先行技術文献】
【特許文献】
【０００３】
【特許文献１】特開２０１８−１９８１４１号公報
【発明の概要】
【発明が解決しようとする課題】
【０００４】
従来の照明装置では、器具本体の一部が光軸と直交する方向に延びているため、この延びる方向側に重心が光軸からズレている。一方で、器具本体の一部の張り出す方向が２つのバネの並び方向と直交している。このため、従来の照明装置では、２つのバネが器具本体を十分に支持することができていない。そこで、照明装置を支持するために、バネをさらに器具本体に設けることも考えられる。しかし、部品点数の増加により、照明装置の製造コストが増大する。
【０００５】
そこで、部品点数を増やすことなく、バネによる器具本体の保持力を向上させることができる照明装置を提供することを目的とする。
【課題を解決するための手段】
【０００６】
上記目的を達成するために、本開示に係る照明装置の一態様は、発光モジュールと、前記発光モジュールを収容する器具本体と、前記器具本体の外周側に配置され、かつ、前記器具本体を天井に固定するための一対のバネとを備え、前記器具本体の一部は、前記発光モジュールが出射する光の光軸と交差する方向に突出し、前記一対のバネのうち、少なくとも一つのバネは、光軸を含み、かつ、前記器具本体の一部が突出する方向と直交する平面よりも前記器具本体の一部が突出する側に配置される。
【発明の効果】
【０００７】
本開示に係る照明装置は、部品点数を増やすことなく、バネによる器具本体の保持力を向上させることができる。
【図面の簡単な説明】
【０００８】
【図１】図１は、実施の形態に係る照明装置を例示する斜視図である。
【図２】図２は、実施の形態に係る照明装置の分解斜視図である。
【図３】図３は、図１のＩＩＩ−ＩＩＩ線における、照明装置の断面を見た断面図である。
【図４】図４は、実施の形態に係る照明装置をＸ軸マイナス方向側から平面視した平面図である。
【発明を実施するための形態】
【０００９】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００１０】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００１１】
また、以下の実施の形態において、略平行等の表現を用いている。例えば、略平行は、完全に平行であることを意味するだけでなく、実質的に平行である、すなわち、例えば数％程度の誤差を含むことも意味する。また、略平行は、本開示による効果を奏し得る範囲において平行という意味である。他の「略」を用いた表現についても同様である。
【００１２】
まず、本実施の形態に係る照明装置について説明する。
【００１３】
（実施の形態）
［構成］
図１は、実施の形態に係る照明装置１を例示する斜視図である。図１では、照明装置１（具体的には後述する発光モジュール６２）から発する光の光軸方向をＸ軸プラス方向（例えば、照明装置１の下側）と規定し、器具本体３の一部が光軸と直交する方向に突出する外径方向をＹ軸プラス方向と規定し、Ｘ軸プラス方向及びＹ軸プラス方向と交差する方向をＺ軸プラス方向と規定する。そして、図２以降の各図に示す各方向は、図１に示す各方向に対応させて表示する。
【００１４】
［照明装置１］
図１に示すように、照明装置１は、天井等の造営材に取付けられる装置である。例えば、照明装置１は、スポットライト、ダウンライト等である。照明装置１は、所定の方向に向けて光を照射することで所定方向を照明することができる装置である。
【００１５】
図２は、実施の形態に係る照明装置１の分解斜視図である。図３は、図１のＩＩＩ−ＩＩＩ線における、照明装置１の断面を見た断面図である。図２及び図３に示すように、照明装置１は、器具本体３と、一対の板バネ７０と、実装基板６１と、発光モジュール６２と、電源部６３と、ホルダ５１と、セード部５４と、透光カバー５５とを有する。
【００１６】
＜器具本体３＞
器具本体３は、照明装置１の外殻を構成する。器具本体３の一部は、発光モジュール６２が出射する光の光軸方向と交差する方向（Ｙ軸プラス方向）に突出する。つまり、照明装置１を造営材の取付孔に取付けた際に、器具本体３の一部は、天井に沿って延びる。ここでいう光軸方向とは、発光モジュール６２が出射する光の主たる方向である。本実施の形態では、光軸方向とは、Ｘ軸プラス方向と略平行である。
【００１７】
図１に示すように、器具本体３は、第１筐体３１と、第２筐体３２と、外装カバー４０とを有する。
【００１８】
＜第１筐体３１及び第２筐体３２＞
第１筐体３１及び第２筐体３２は、実装基板６１、発光モジュール６２、及び、電源部６３を収容する収容体を構成する。第１筐体３１及び第２筐体３２がネジ等の固定部材で固定されることによって形成される収容空間は、発光モジュール６２が配置される側が小さい第１空間を形成し、電源部６３が配置される空間が、第１空間よりも大きく膨出した第２空間を形成する。第１筐体３１及び第２筐体３２のそれぞれは、筐体の一例である。
【００１９】
図４は、実施の形態に係る照明装置１をＸ軸マイナス方向側から平面視した平面図である。図２及び図４に示すように、第１筐体３１及び第２筐体３２は、照明装置１をＸ軸プラス方向側から（光軸方向に沿って）平面視した場合に、円筒状の外装カバー４０の外周面よりも外径方向に突出する。言い換えれば、照明装置１が造営材の取付孔に取付けられた場合、第１筐体３１及び第２筐体３２は、外装カバー４０の外周面から、造営材に沿って外径方向に延びている。ここで外径方向は、Ｙ軸プラス方向である。このことから、第１筐体３１及び第２筐体３２のＹ軸方向の長さは、外装カバー４０の半径よりも大きい。
【００２０】
図１及び図３に示すように、第１筐体３１は、収容体の底部を構成する。第１筐体３１は、Ｙ軸方向に長尺であり、外装カバー４０の外周面から突出するように、Ｙ軸プラス方向に延びる。また、第１筐体３１は、金属製であり、例えば、アルミニウム、又は鉄等を主成分とした板金を折り曲げ加工して形成される。
【００２１】
第１筐体３１は、底板部３１ａと、一対の第１取付部３１ｂとを有する。
【００２２】
底板部３１ａは、第２筐体３２及び外装カバー４０を所定の姿勢で固定する、Ｙ軸方向に長尺な平板である。底板部３１ａのＹ軸マイナス方向には、底板部３１ａの両端縁の一部からＺ軸方向に張り出すように延びる一対の延出片３１ａ２が形成される。一対の延出片３１ａ２の端縁は、Ｙ軸方向に対して斜めに張り出している。
【００２３】
また、一対の延出片３１ａ２の間には、発光モジュール６２を露出させるための開口３１ａ１が底板部３１ａに形成される。開口３１ａ１は、底板部３１ａのＹ軸マイナス方向に形成される。
【００２４】
図１及び図２に示すように、一対の第１取付部３１ｂは、底板部３１ａにおけるＹ軸マイナス方向側に配置され、外装カバー４０の外周側に位置し、底板部３１ａの開口３１ａ１の両側に設けられる。一対の第１取付部３１ｂは、底板部３１ａの一対の延出片３１ａ２と一対一で対応するように、第１筐体３１に一体的に設けられる。一対の第１取付部３１ｂは、一対の延出片３１ａ２の端縁に接続されるため、照明装置１をＸ軸マイナス方向側から（光軸方向に沿って）平面視した場合に、板バネ７０を取付けるための外周側の表面３１ｂ２がＸ−Ｙ平面に対して傾く。一対の第１取付部３１ｂの表面３１ｂ２は、後述する板バネ７０の第２取付部７１と対向する面である。
【００２５】
図４に示すように、照明装置１をＸ軸マイナス方向側（例えば、照明装置１の上側）から平面視した場合において、一対の第１取付部３１ｂのうちの少なくとも一方の第１取付部３１ｂと他方の第１取付部３１ｂとは、器具本体３の中心である中心線Ｏに対して点対称に配置される。一対の第１取付部３１ｂは、その並びがＺ軸方向及びＹ軸方向に対して、所定の角度だけ傾くように配置される。本実施の形態では、一対の第１取付部３１ｂのうちの少なくとも一方の第１取付部３１ｂが、照明装置１をＸ軸マイナス方向側から平面視した場合、照明装置１の光軸（光軸方向）と略一致する中心線Ｏを含むＺ軸方向と平行な線よりもＹ軸プラス方向側の領域において、Ｙ軸プラス方向の線からＺ軸プラス方向の線までの間のハッチングされた領域Ａ１、又は、Ｙ軸プラス方向の線からＺ軸マイナス方向（第２方向の一例）の線までの間のハッチングされた領域Ａ２に配置される。つまり、器具本体３の一部がＹ軸プラス方向に延びているため、中心線ＯからＹ軸プラス方向に照明装置１の重心Ｈがズレている。重心Ｈがズレているということは、照明装置１を造営材の取付孔に取付けた際に、造営材の取付孔に偏荷重がかかることになる。このような照明装置１において、一対の第１取付部３１ｂのうちの少なくとも一方の第１取付部３１ｂは、このズレた重心Ｈを支持するように配置される。
【００２６】
なお、一対の第１取付部３１ｂのうちの他方の第１取付部３１ｂも、さらに、Ｙ軸プラス方向の線からＺ軸マイナス方向の線までの間の領域Ａ２、又は、Ｙ軸プラス方向の線とＺ軸プラス方向の線との間の領域Ａ１に配置されてもよい。
【００２７】
また、一対の第１取付部３１ｂのうちの少なくとも一方の第１取付部３１ｂが、Ｙ軸プラス方向の線からＺ軸プラス方向の線までの間の領域Ａ１、又は、Ｙ軸プラス方向の線からＺ軸マイナス方向の線までの間の領域Ａ２に配置されていればよいため、一対の第１取付部３１ｂのうちの他方の第１取付部３１ｂが、領域Ａ１及び領域Ａ２以外の領域に配置されていてもよい。
【００２８】
図２及び図３に示すように、第２筐体３２は、収容体の天板部分を構成する。つまり、第２筐体３２は、第１筐体３１のＸ軸マイナス方向側に配置される。第２筐体３２は、実装基板６１及び電源部６３を覆うカバーとしての役割を果たす。また、第２筐体３２は、金属製であり、例えば、アルミニウム、又は鉄等を主成分とした板金を折り曲げ加工して形成される。
【００２９】
第２筐体３２は、天板３２ａと、立壁部３２ｂとを有する。
【００３０】
天板３２ａには、実装基板６１を固定するための取付け面部３２ａ１が形成される。天板３２ａは、取付け面部３２ａ１から電源部６３を回避するように、取付け面部３２ａ１に対してＸ軸マイナス方向に上る段部を有する。つまり、天板３２ａは、電源部６３に対応する部分がＸ軸マイナス方向に膨出している。また、天板３２ａの段部には、Ｘ軸マイナス方向に進むにつれて電源部６３を収容する収容空間を狭めるように、一部に傾斜面部が形成される。
【００３１】
立壁部３２ｂは、天板３２ａからＸ軸プラス方向に立ち上がる壁部である。立壁部３２ｂには、電源部６３に交流電流を供給するための電源コネクタ３９が固定される。電源コネクタ３９は、電源部６３と配線により電気的に接続され、商用電源から供給される交流電流を電源部６３に供給する。電源コネクタ３９は、器具本体３の構成に含まれていてもよい。
【００３２】
＜外装カバー４０＞
外装カバー４０は、Ｘ軸方向の両側で開口した中空の円錐台状の外殻である。外装カバー４０のＸ軸マイナス方向側の端部は、第１筐体３１における底板部３１ａの開口３１ａ１の周囲を囲むように、ネジ等の固定部材により第１筐体３１に固定される。外装カバー４０の内部は、発光モジュール６２が発する光が通過する。
【００３３】
外装カバー４０は、筒部４１と、枠部４２とを有する。
【００３４】
筒部４１は、円錐台状の外装部分である。筒部４１は、Ｘ軸マイナス方向からＸ軸プラス方向に向かって大径になる。筒部４１の中心線は、上述の中心線Ｏと略一致する。筒部４１の直径は、造営材の取付孔の直径よりも小さい。
【００３５】
筒部４１の内部は、発光モジュール６２が発する光が通過する。筒部４１の内周面は、透光カバー５５から出射した光を所定方向に配光制御するための光反射カバーとしての役割を果たす。
【００３６】
枠部４２は、照明装置１が取付けられる天井板等の造営材を保持する円環状の鍔である。枠部４２は、筒部４１の下端縁（Ｘ軸プラス方向の端縁）から外径方向に延びる。枠部４２の外径は、照明装置１が取付けられる造営材の取付孔の内径よりも大きい。枠部４２と一対の板バネ７０とは、造営材を挟持することで、照明装置１を造営材に安定的に固定する。
【００３７】
＜板バネ７０＞
一対の板バネ７０は、造営材に形成された取付孔に照明装置１を取付けて固定するための弾性部材であり、外装カバー４０の外周側に配置される。一対の板バネ７０は、第１筐体３１の一対の第１取付部３１ｂに一対一で取付けられる。一対の板バネ７０は、外装カバー４０の枠部４２とによって、造営材を挟持する。板バネ７０は、バネの一例である。
【００３８】
なお、板バネ７０は、照明装置１に３つ以上設けられていてもよい。
【００３９】
一対の板バネ７０は、例えば鋼材等の金属材料で形成される。また、一対の板バネ７０の板厚及び幅は、一対の板バネ７０を形成する材料のヤング率、照明装置１の重量等に応じて、照明装置１を造営材に安定的に固定できるように適宜定められる。なお、一対の板バネ７０の代わりに、線バネでもよく、他の公知のバネを用いてもよい。
【００４０】
図４に示すように、一対の板バネ７０は、第１筐体３１の第１取付部３１ｂの位置に応じて取付けられる。本実施の形態では、照明装置１をＸ軸マイナス方向側から平面視した場合に、一対の板バネ７０の後述するアーム部７２は、中心線Ｏから遠ざかるように延びる姿勢で配置される。
【００４１】
また、一対の板バネ７０のうち、少なくとも一方の板バネ７０は、当該照明装置１をＸ軸マイナス方向側から平面視した場合に、中心線Ｏを含む平面であり、かつ、器具本体３の一部が突出する方向と直交する平面（Ｘ−Ｚ平面）よりも器具本体３の一部が突出する側（Ｙ軸プラス方向側）に配置される。つまり、一対の板バネ７０のうち、少なくとも一方の板バネ７０は、図４の直線Ｖ２よりもＹ軸プラス方向側に配置される。本実施の形態では、当該照明装置１をＸ軸マイナス方向側から平面視した場合に、中心線Ｏ及び重心Ｈを通る直線と中心線Ｏから少なくとも一方の板バネ７０が延びる方向の線との角度は、９０度以下である。
【００４２】
なお、上述の「直交」は、完全に直交であることを意味するだけでなく、実質的に直交である、すなわち、例えば数％程度の誤差を含むことも意味する。
【００４３】
一対の板バネ７０のそれぞれは、第２取付部７１と、アーム部７２とを有する。
【００４４】
第２取付部７１は、外装カバー４０の外周面に沿って配置される基端であり、Ｘ軸方向に延びる板状である。第２取付部７１は、第１筐体３１の第１取付部３１ｂに取付けられる。
【００４５】
照明装置１をＸ軸マイナス方向側から平面視した場合に、第１取付部３１ｂの表面３１ｂ２がＸ−Ｙ平面に対して傾いているため、第２取付部７１もＸ−Ｙ平面に対して傾くように取付けられる。
【００４６】
アーム部７２は、第２取付部７１のＸ軸プラス方向側の端縁と接続され、外装カバー４０の外周面から離れる方向に延びる板状の自由端である。照明装置１を造営材の取付孔に取付けた際、アーム部７２は、アーム部７２の復元力によって、造営材の取付孔に対してＸ軸プラス方向側に応力をかける。
【００４７】
照明装置１をＸ軸マイナス方向側から平面視した場合に、一対の板バネ７０のうちの少なくとも一方の板バネ７０のアーム部７２は、領域Ａ１、Ａ２に配置される。つまり、少なくとも一方の板バネ７０のアーム部７２は、上述のズレた重心Ｈを支持するように配置される。このため、少なくとも一方の板バネ７０は、器具本体３による偏荷重を支持する。
【００４８】
また、照明装置１をＸ軸マイナス方向側から平面視した場合に、外装カバー４０の外周面から一方の板バネ７０のアーム部７２が延びる方向と、外装カバー４０から他方の板バネ７０のアーム部７２が延びる方向とは同一の直線Ｖ１上にある。
【００４９】
＜実装基板６１＞
図２及び図３に示すように、実装基板６１は、発光モジュール６２及び電源部６３等の電源回路を構成する電子部品を実装する基板である。実装基板６１は、平面視において、Ｙ軸方向に長尺、かつ、矩形状である平面を有する板材である。実装基板６１は、例えばセラミックス基板、樹脂基板又は絶縁被覆されたメタルベース基板等である。実装基板６１には、発光モジュール６２を発光させるために、直流電力を電源部６３から受電する一対の電極端子（正電極端子及び負電極端子）が形成される（不図示）。電極端子は、基板のパターンを介して電源部６３に、電気的に接続される。
【００５０】
実装基板６１は、第２筐体３２の天板３２ａに、ネジ等の固定部材によって固定される。具体的には、照明装置１をＸ軸マイナス方向側から平面視した場合に、実装基板６１は、第２筐体３２の天板３２ａが外装カバー４０に重なる取付け面部３２ａ１に固定される。取付け面部３２ａ１はＹ−Ｚ軸方向と略平行であるため、実装基板６１もＹ−Ｚ軸方向と略平行に保持される。このように、実装基板６１は、取付け面部３２ａ１からＹ軸プラス方向に延びるように第１筐体３１及び第２筐体３２によって形成された収容空間に配置される。
【００５１】
＜発光モジュール６２＞
発光モジュール６２は、所定の光を放射状に出射するＬＥＤ（Ｌｉｇｈｔ  Ｅｍｉｔｔｉｎｇ  Ｄｉｏｄｅ）モジュールである。本実施の形態では、発光モジュール６２は、例えば白色光を出射するように構成される。例えば、発光モジュール６２は、ＣＯＢ（Ｃｈｉｐ  Ｏｎ  Ｂｏａｒｄ）型ＬＥＤで構成され、実装基板６１上に実装されたベアチップ（ＬＥＤチップ）である複数の青色ＬＥＤと、それら青色ＬＥＤを封止し、黄色蛍光体を含む封止部材とを備える。
【００５２】
発光モジュール６２は、実装基板６１におけるＹ軸マイナス方向側、かつ、Ｘ軸プラス方向側の面に実装される。このため、発光モジュール６２は、Ｘ軸プラス方向に向けて光を出射する。発光モジュール６２がＸ軸プラス方向に向けて出射する方向が光軸方向となる。発光モジュール６２が発する光は、後述するホルダ５１の開口部５２、セード部５４、透光カバー５５、外装カバー４０の筒部４１を通過する。
【００５３】
＜電源部６３＞
電源部６３は、発光モジュール６２を点灯させるための電力を供給する点灯回路６３ａが内蔵された電源モジュールである。点灯回路６３ａは、電源部６３に接続された配線から供給された交流電流を直流電流に変換し、変換した直流電流を、基板のパターンを介して発光モジュール６２に供給する。
【００５４】
点灯回路６３ａは、第１筐体３１及び第２筐体３２で構成される収容空間において、発光モジュール６２が実装基板６１に実装される面の反対側の面に実装される。つまり、点灯回路６３ａは、実装基板６１におけるＹ軸プラス方向側、かつ、Ｘ軸プラス方向側の面に実装される。
【００５５】
＜ホルダ５１＞
ホルダ５１は、ネジ等の固定部材によって実装基板６１に固定され、実装基板６１の位置を規制するリング状の支持部材である。
【００５６】
ホルダ５１には、開口部５２と、複数のネジ孔とが形成される。
【００５７】
開口部５２は、発光モジュール６２を露出させるように、開口した部分である。開口部５２の開口面は、第１筐体３１における底板部３１ａの開口３１ａ１の開口面と重なるように対応する。
【００５８】
複数のネジ孔は、ホルダ５１を実装基板６１にネジ等の固定部材で固定するための孔である。具体的には、ホルダ５１は、第２筐体３２の取付け面部３２ａ１とで実装基板６１を挟んだ状態であり、実装基板６１を取付け面部３２ａ１に押さえつけるように、固定部材によって取付け面部３２ａ１に固定される。こうして、実装基板６１が取付け面部３２ａ１に密着した状態で固定される。これにより、発光モジュール６２で発生した熱が効率よく第２筐体３２に伝導される。ホルダ５１は、例えば、ポリブチレンテレフタレート（ＰＢＴ）、ポリカーボネート等の樹脂材料である。
【００５９】
＜セード部５４＞
セード部５４は、発光モジュール６２からの出射した光を透光カバー５５に向けて反射することで配光を制御する鏡面を有する。セード部５４は、内面がアルミニウム等の金属で構成された鏡面であるが、例えばポリブチレンテレフタレート等の硬質の白色樹脂材料を用いて形成されてもよい。
【００６０】
セード部５４は、Ｘ軸方向で開口した無底の筒状である。セード部５４の形状は、発光モジュール６２からの光が入射される側（Ｘ軸マイナス方向側）の端部から、当該光が出射される側（Ｘ軸プラス方向側）の端部に向かって内径が漸次大きくなるように構成された円錐台状である。
【００６１】
セード部５４は、ネジ等の固定部材により第１筐体３１の底板部３１ａに固定される。セード部５４のＸ軸マイナス方向側の端部は、第１筐体３１における底板部３１ａの開口３１ａ１及びホルダ５１の開口部５２に挿入され、発光モジュール６２の周囲を囲むように配置される。また、セード部５４の中心線は、中心線Ｏと略一致する。
【００６２】
＜透光カバー５５＞
透光カバー５５は、セード部５４で反射された光、及び、発光モジュール６２からの光が入射される透光性のドーム状をなした光学カバーである。透光カバー５５は、外装カバー４０に収容される。透光カバー５５は、照明装置１をＸ軸プラス方向から見て、セード部５４及び発光モジュール６２を覆う状態で外装カバー４０に固定される。また、外装カバー４０の中心線は、中心線Ｏと略一致する。
【００６３】
なお、透光カバー５５は、セード部５４で反射された光の配光を制御して出射する機能を有してもよい。例えば透光カバー５５は、フレネルレンズ等であってもよい。透光カバー５５は、透光性材料を用いて形成され、例えばアクリル、ポリカーボネート（ＰＣ）等の透明樹脂材料、又は、ガラス材料等の透明材料を用いて形成する。
【００６４】
このような照明装置１では、照明装置１の重心Ｈが中心線ＯからＹ軸プラス方向にズレているが、一対の板バネ７０のうちの少なくとも一方の板バネ７０が、照明装置１による偏荷重を支持する。これにより、照明装置１は、造営材の取付孔に安定的に保持される。
【００６５】
［作用効果］
次に、本実施の形態における照明装置１の作用効果について説明する。
【００６６】
上述したように、本実施の形態に係る照明装置１は、発光モジュール６２と、発光モジュール６２を収容する器具本体３と、器具本体３の外周側に配置され、かつ、器具本体３を天井に固定するための一対の板バネ７０とを備える。また、器具本体３の一部は、発光モジュール６２が出射する光の光軸と交差する方向に突出する。そして、一対の板バネ７０のうち、少なくとも一つの（少なくとも一方の）板バネ７０は、光軸（中心線Ｏ）を含み、かつ、器具本体３の一部が突出する方向と直交する平面よりも器具本体３の一部が突出する側に配置される。
【００６７】
例えば、従来の照明装置では、重心が照明装置の中心線から器具本体の一部が延びる方向にズレている。そのため、図４の二点鎖線で示すように一対の板バネ７０ａの並び方向（Ｚ軸方向）を、器具本体の一部が延びる方向（Ｙ軸プラス方向）と直交するように配置すれば、単に照明装置を造営材の取付孔に取付けることができても、より安定して照明装置を造営材の取付孔に取付けることは難しい。
【００６８】
しかしながら、この照明装置１では、一対の板バネ７０のうち、少なくとも一つの板バネ７０が、図４の二点鎖線で示す直線Ｖ２よりも器具本体３の一部が突出する側に配置されるため、照明装置１による偏荷重を支持することができる。このため、照明装置１を造営材の取付孔に安定的に取付けることができ、新たな板バネを照明装置１に設ける必要もない。
【００６９】
したがって、この照明装置１では、部品点数を増やすことなく、板バネ７０による器具本体３の保持力を向上させることができる。このように、板バネ７０という部品点数を増加させる必要もないため、照明装置１の製造コストの高騰化を抑制することができる。
【００７０】
また、本実施の形態に係る照明装置１において、一対の板バネ７０は、当該照明装置１を光軸方向に沿って平面視した場合における光軸方向に対して点対称に配置される。
【００７１】
例えば、一方の板バネと他方の板バネとが器具本体の中心線に対して点対称に配置されていなければ、一方の板バネと他方の板バネとを直立させるように折り畳む際に、一方の板バネと他方の板バネとを器具本体の両側から同時に挟むように折り畳み難い。
【００７２】
しかし、本実施の形態によれば、一方の板バネ７０と他方の板バネ７０とが器具本体３の中心に対して点対称である。よって、一対の板バネ７０を直立させるように折り畳む際に、器具本体３の両側から挟むように、一方の板バネ７０と他方の板バネ７０とを同時に折り畳むことができる。つまり、一対の板バネ７０を折り畳み易くなる。このため、例えば照明装置１を梱包する際、造営材の取付孔に取付ける際等に、好適である。
【００７３】
また、本実施の形態に係る照明装置１において、一対のバネのうちの一方のバネと他方のバネのそれぞれは、板バネ７０である。そして、器具本体３から一方の板バネ７０のアーム部７２が延びる方向と、器具本体３から他方の板バネ７０のアーム部７２が延びる方向とは同一の直線上にある。
【００７４】
これによれば、器具本体３を挟むように、一方の板バネ７０のアーム部７２と他方のアーム部７２とを折り畳むことができる。このため、一対の板バネ７０を確実に折り畳み易くなる。
【００７５】
また、本実施の形態に係る照明装置１において、器具本体３は、発光モジュール６２が発する光が通過する外装カバー４０と、外装カバー４０を固定し、かつ、発光モジュール６２を収容する第１筐体３１及び第２筐体３２とを有する。そして、当該照明装置１を光軸方向に沿って平面視した場合に、第１筐体３１及び第２筐体３２の一部は、外装カバー４０の外周面よりも外径方向に突出する。
【００７６】
照明装置１をＸ軸マイナス方向に沿って平面視した場合に、第１筐体３１及び第２筐体３２の一部が外装カバー４０の外周面から飛び出ていれば、重心Ｈは中心線ＯからＹ軸プラス方向にズレることになる。しかし、これによれば、重心Ｈが中心線ＯからＹ軸プラス方向にズレている如何様な照明装置でも、少なくとも一つの板バネ７０が、照明装置１による偏荷重を支持することができる。このため、照明装置１を造営材の取付孔に安定的に取付けることができる。
【００７７】
また、本実施の形態に係る照明装置１において、第１筐体３１及び第２筐体３２は、一対の板バネ７０が一対一で対応するように取付けられる一対の第１取付部３１ｂを有する。そして、一対の第１取付部３１ｂのうち、板バネ７０が取付けられる側の少なくとも一つの第１取付部３１ｂの表面３１ｂ２は、当該照明装置１をＸ軸マイナス方向に沿って平面視した場合に、器具本体３の一部が突出する方向に対して傾く。
【００７８】
これによれば、少なくとも一つの板バネ７０を、図４で示す線Ｖ２よりもＹ軸プラス方向側に確実に配置することができる。
【００７９】
また、本実施の形態に係る照明装置１は、さらに、発光モジュール６２を点灯させるための電力を供給する点灯回路６３ａと、点灯回路６３ａと発光モジュール６２とを実装する実装基板６１とを備える。そして、点灯回路６３ａ及び実装基板６１は、第１筐体３１及び第２筐体３２に収容される。
【００８０】
これによれば、発光モジュール６２を実装する実装基板６１と点灯回路６３ａを実装する実装基板６１とを同一の実装基板にすることができる。このため、発光モジュール６２と点灯回路６３ａとで別々の実装基板６１を設ける場合よりも部品点数を削減することができる。その結果、この照明装置１では、製造コストの高騰化を抑制することができる。
【００８１】
また、第１筐体３１及び第２筐体３２に点灯回路６３ａ及び実装基板６１等を収容するため、中心線ＯからＹ軸プラス方向への照明装置１の重心のズレがより顕著になる。しかし、本実施の形態によれば、少なくとも一つの板バネ７０は、照明装置１による偏荷重を支持することができる。
【００８２】
（その他変形例）
以上、本開示に係る照明装置について、実施の形態に基づいて説明したが、本開示は、上記の各実施の形態に限定されるものではない。
【００８３】
例えば、上記の各実施の形態において、電源部には、発光モジュールの点灯及び消灯を制御するコントローラである照明制御部が収容されていてもよい。照明制御部は、発光モジュールが発する光の明るさを制御したり、光の調色を制御したりしてもよい。
【００８４】
また、上記の各実施の形態において、一対の板バネは、領域Ａ１、Ａ２においてＺ軸方向と平行になるように配置されていてもよい。
【００８５】
また、上記の各実施の形態において、照明制御部が第１筐体及び第２筐体に収容されているがこれには限定されない。照明制御部は、収容体に収容されていてもよい。
【００８６】
また、上記の各実施の形態において、器具本体の構成には、ヒートシンクが含まれていてもよい。この場合、ヒートシンクの一部が光軸と交差する方向に突出していてもよい。このため、筐体が光軸と交差する方向に突出していることが必須ではない。
【００８７】
なお、上記の各実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【符号の説明】
【００８８】
１  照明装置
３  器具本体
３１  第１筐体（筐体）
３１ｂ  第１取付部（取付部）
３１ｂ２  表面
３２  第２筐体（筐体）
４０  外装カバー
６１  実装基板
６２  発光モジュール
６３ａ  点灯回路
７０  板バネ（バネ）
７２  アーム部
【図１】
2020136025.tif 000003
【図２】
2020136025.tif 000004
【図３】
2020136025.tif 000005
【図４】
2020136025.tif 000006